(57)【要約】      （修正有）【課題】読み物を移動させることなく当該読み物の読みたい部分を順次良好に読めるようにした拡大読書器を提供する。【解決手段】カメラＣから新聞２０の読みたい部分を表す画像がパソコンシステムＰに入力されたとき、コンピュータ７０ｃは、上記画像をＬＣＤ８０ｂに表示させ、その一部を拡大表示させ、その一部のうち読み始め部分を決定する。ついで、コンピュータ７０ｃは、拡大表示された状態にて読み始め部分を含む行を読み始め部分から読み始め部分を含む行の読み終わり部分にかけて移動させ、ついで、読み始め部分を含む行に後続して並ぶ少なくとも１つの後続の行を読み始め部分を含む行と同様に移動させるように処理する。【選択図】図２
2006254271.tif 000002
【特許請求の範囲】
【請求項１】
読み物の読みたい部分を表す画像を電子画像データとして生成する電子画像データ生成手段を設けてなるカメラと、パソコンシステムとを備え、
前記パソコンシステムは、
前記電子画像データが入力されたとき、当該電子画像データに基づき前記画像に対応した静止画を表す表示データを生成する表示データ生成手段と、
この表示データ生成手段からの前記表示データに基づき前記画像を静止画として表示画面にて表示する表示手段と、
この表示手段により表示される静止画の一部を前記表示手段にその表示画面にて拡大表示させるように処理する拡大表示処理手段と、
前記表示手段により拡大表示された前記静止画の一部のうち読み始め部分を決定する読み始め部分決定手段と、
前記表示画面に拡大表示された状態にて前記静止画のうち前記読み始め部分を含む行を前記読み始め部分から前記読み始め部分を含む行の読み終わり部分にかけて移動させ、ついで、前記読み始め部分を含む行に後続して並ぶ少なくとも１つの後続の行を前記読み始め部分を含む行と同様に移動させるように処理する移動処理手段とを備える拡大読書器。
【請求項２】
前記読み始め部分決定手段により決定された前記読み始め部分に対応するように前記表示手段にその表示画面にて基準点を表示させるように処理する基準点表示処理手段と、
前記移動処理手段が、前記読み始め部分を含む行をその読み終わり部分まで移動させるように処理したとき、及び前記少なくとも１つの後続の行を前記読み始め部分を含む行と同様に移動させるように処理したとき、それぞれ、前記基準点を前記表示手段に前記表示画面にて再表示させるように処理する基準点再表示処理手段とを備えて、
前記表示手段は、前記基準点再表示手段による再表示処理に基づき、前記表示画面にて、前記静止画の一部を拡大表示するとともに前記基準点を再表示し、
前記移動処理手段は、前記基準点の再表示毎に、前記表示画面に拡大表示された状態にて前記静止画のうち前記少なくとも１つの後続の行をその読み始め部分から読み終わり部分にかけて移動させるように処理するようにしたことを特徴とする請求項１に記載の拡大読書器。
【請求項３】
前記カメラは、カメラ用ＩＤコードを記憶してなる記憶手段と、前記カメラ用ＩＤコード或いは前記電子画像データを出力するＵＳＢ素子とを備え、
前記パソコンシステムは、ＵＳＢ素子と、パソコンシステム用ＩＤコードを記憶してなる記憶手段と、前記両ＵＳＢ素子が相互に接続されたとき前記カメラ用ＩＤコードを前記カメラに対し要求するＩＤコード要求手段とを備えて、
前記カメラから前記両ＵＳＢ素子を通し前記カメラ用ＩＤコードを入力されたときこのカメラ用ＩＤコードと前記パソコンシステム用ＩＤコードとの一致により前記電子画像データの前記表示データ生成手段への入力を許可するようにしたことを特徴とする請求項１或いは２に記載の拡大読書器。
【発明の詳細な説明】
【技術分野】
【０００１】
本発明は、弱視者等の視覚障害者の日常生活具として利用される拡大読書器に関するものである。
【背景技術】
【０００２】
従来、この種の拡大読書器においては、下記特許文献１に開示された拡大読書器がある。この拡大読書器は、架台上に置いた読み物の読みたい文字領域を、その上方に位置するカメラでもって撮影し、このカメラの撮影出力を画像処理して読み物の読みたい文字領域を拡大し表示装置によりその表示画面にて表示するようになっている。
【０００３】
従って、この拡大読書器を用いて、上述のように拡大表示された読み物の読みたい文字領域を読むにあたっては、視覚障害者は自分で架台により読み物を少しずつ移動させながら拡大表示された読みたい文字領域の文字を順次読むことになる。
【特許文献１】特開平７−２３４９１９号公報
【発明の開示】
【発明が解決しようとする課題】
【０００４】
しかしながら、上記拡大読書器によれば、上述のように読み物の読みたい文字領域が拡大表示されるため、架台をわずかに移動させるだけでも、表示装置の表示画面の表示内容が大きく変化する。このようなことは、架台に依らず、読み物自体を直接移動されても同様である。
【０００５】
従って、例えば、読み物の読みたい文字領域における改行の際に、その改行部位が、表示装置の表示画面から外れると、視覚障害者は、架台により読み物をどのように移動させてよいか分からず、上記改行部位を見失ってしまうという不具合を招く。
【０００６】
そこで、本発明は、以上のようなことに対処するため、読み物を移動させることなく当該読み物の読みたい部分を順次良好に読めるようにした拡大読書器を提供することを目的とする。
【課題を解決するための手段】
【０００７】
上記課題の解決にあたり、本発明に係る拡大読書器は、請求項１の記載によれば、
読み物の読みたい部分を表す画像を電子画像データとして生成する電子画像データ生成手段（３０、４０、５０）を設けてなるカメラ（Ｃ）と、パソコンシステム（Ｐ）とを備える。
【０００８】
パソコンシステムは、
上記電子画像データが入力されたとき、当該電子画像データに基づき上記画像に対応した静止画を表す表示データを生成する表示データ生成手段（７１ｂ、７８ｂ、１５０、１５１、１５２）と、
この表示データ生成手段からの上記表示データに基づき上記画像を静止画として表示画面にて表示する表示手段（８０）と、
この表示手段により表示される静止画の一部を表示手段にその表示画面にて拡大表示させるように処理する拡大表示処理手段（７３、１６１、１６２、１６２ａ、１６２ｂ）と、
表示手段により拡大表示された上記静止画の一部のうち読み始め部分を決定する読み始め部分決定手段（７０ａ、１６２ｃ、１６３）と、
上記表示画面に拡大表示された状態にて上記静止画のうち上記読み始め部分を含む行を上記読み始め部分から上記読み始め部分を含む行の読み終わり部分にかけて移動させ、ついで、上記読み始め部分を含む行に後続して並ぶ少なくとも１つの後続の行を上記読み始め部分を含む行と同様に移動させるように処理する移動処理手段（７２、１６５、１６６、１６６ａ）とを備える。
【０００９】
このように、拡大読書器を、上述のような構成をそれぞれ有するカメラ及びパソコンシステムで構成する。
【００１０】
そして、このような構成のもと、カメラにおいて読み物の読みたい部分を表す画像に基づき生成された電子画像データがパソコンシステムに入力されたとき、当該電子画像データに基づき上記画像に対応した静止画を表す表示データを生成し、この生成表示データに基づき上記画像を静止画として表示手段に表示画面にて表示する。
【００１１】
そして、このように表示される静止画の一部を表示手段によりその表示画面にて拡大表示し、このように拡大表示した静止画の一部のうち読み始め部分を決定する。
【００１２】
然る後、上記表示画面に拡大表示された状態にて上記静止画のうち上述のように決定した読み始め部分を含む行を当該読み始め部分から上記読み始め部分を含む行の読み終わり部分にかけて移動させ、ついで、上記読み始め部分を含む行に後続して並ぶ少なくとも１つの後続の行を上記読み始め部分を含む行と同様に移動させるように処理する。
【００１３】
これにより、読み手は、読み物の読みたい部分に対応する静止画のうち読み始め部分を含む行及び上記少なくとも１つの後続の行を順次読むことができる。
【００１４】
ここで、読み物の読みたい部分を単に光学的に拡大した状態で直接読むのではなく、上述のようにカメラから取り込まれた電子画像データを利用して表示手段の表示画面に拡大表示した静止画でもって読み物の読みたい部分を読むから、上述した拡大表示とはかかわりなく、読み物を移動させることなく継続的に順次読むことができる。
【００１５】
また、本発明は、請求項２の記載によれば、請求項１に記載の拡大読書器において、
読み始め部分決定手段により決定された上記読み始め部分に対応するように表示手段にその表示画面にて基準点を表示させるように処理する基準点表示処理手段（７４、１６４、１６４ａ、１６４ｂ）と、
移動処理手段が、上記読み始め部分を含む行をその読み終わり部分まで移動させるように処理したとき、及び上記少なくとも１つの後続の行を上記読み始め部分を含む行と同様に移動させるように処理したとき、それぞれ、上記基準点を表示手段に上記表示画面にて再表示させるように処理する基準点再表示処理手段（１６４ｂ）とを備えて、
表示手段は、基準点再表示手段による再表示処理に基づき、上記表示画面にて、上記静止画の一部を拡大表示するとともに上記基準点を再表示し、
移動処理手段は、上記基準点の再表示毎に、上記表示画面に拡大表示された状態にて上記静止画のうち上記少なくとも１つの後続の行をその読み始め部分から読み終わり部分にかけて移動させるように処理するようにしたことを特徴とする。
【００１６】
このように、上記読み始め部分を含む行をその読み終わり部分まで移動させるように処理したとき、及び上記少なくとも１つの後続の行を上記読み始め部分を含む行と同様に移動させるように処理したとき、それぞれ、表示手段に上記表示画面にて上記静止画の一部を拡大表示するとともに上記基準点を再表示する。
【００１７】
そして、上記基準点の再表示毎に、上記表示画面に拡大表示された状態にて上記静止画のうち上記少なくとも１つの後続の行をその読み始め部分から読み終わり部分にかけて移動させるように処理する。
【００１８】
従って、読み手は、次に読むべき行の読み始めを見失うことなく確実に視認することができ、かつ当該次に読むべき行の読み始め部分を明瞭に特定し得る。これにより、当該次に読むべき行を確実に読むことができる。その結果、請求項１に記載の発明の作用効果がより一層具体的に向上され得る。
【００１９】
また、本発明は、請求項３の記載によれば、請求項１或いは２に記載の拡大読書器において、
カメラは、カメラ用ＩＤコードを記憶してなる記憶手段（５１）と、上記カメラ用ＩＤコード或いは上記電子画像データを出力するＵＳＢ素子（６０）とを備え、
パソコンシステムは、ＵＳＢ素子（７９）と、パソコンシステム用ＩＤコードを記憶してなる記憶手段（７８ｂ）と、両ＵＳＢ素子が相互に接続されたとき上記カメラ用ＩＤコードをカメラに対し要求するＩＤコード要求手段（１００）とを備えて、
カメラから両ＵＳＢ素子を通し上記カメラ用ＩＤコードを入力されたときこのカメラ用ＩＤコードと上記パソコンシステム用ＩＤコードとの一致により上記電子画像データの表示データ生成手段への入力を許可するようにしたことを特徴とする。
【００２０】
これにより、カメラがそのＵＳＢ素子にてパソコンシステムのＵＳＢ素子に接続された上で、カメラ用ＩＤコードがパソコンシステム用ＩＤコードと一致したときにのみ、請求項１或いは２に記載の発明の作用効果が確保されて、拡大読書器としての本来の拡大読書機能が有効にされ得る。換言すれば、カメラがパソコンシステムに対し正当に接続可能なカメラでなければ、当該カメラがパソコンシステムに接続されても、拡大読書器としての本来の拡大読書機能が無効になる。
【００２１】
なお、上記各手段の括弧内の符号は、後述する実施形状に記載の具体的手段との対応関係を示すものである。
【発明を実施するための最良の形態】
【００２２】
以下、本発明の一実施形態を図面により説明する。図１及び図２は、本発明に係る卓上型拡大読書器の一実施形態を示している。この拡大読書器は、弱視者等の視覚障害者の日常生活具の１つとして用いられるもので、当該拡大読書器は、カメラＣと、パーソナルコンピュータシステムＰ（以下、パソコンシステムＰともいう）とでもって構成されている。なお、本実施形態では、当該拡大読書器は、図１にて示すごとく、机１０上に載置されている。
【００２３】
カメラＣは、三脚（図示しない）により、図１にて示すごとく、机１０上の新聞２０に対向するように、机１０の上方に支持されている。このカメラＣは、図２にて示すごとく、撮像用レンズ３０、撮像素子４０、画像処理回路５０及びユニバーサル・シリアル・バス素子６０（以下、ＵＳＢ素子６０という）を備えている。
【００２４】
撮像素子４０は、例えば、２次元の電荷結合素子（いわゆるＣＣＤ）或いはＣＭＯＳ素子からなるもので、この撮像素子４０は、新聞２０の２次元状の読みたい部分である撮像対象部位を、レンズ３０を通して光学的に撮像して電子撮像データとして画像処理回路５０に出力する。なお、撮像素子４０による撮像の際に、視覚障害者（以下、読み手ともいう）が上記撮像対象部位を特定するために新聞２０を動かせば、上記撮像対象部位は、動画として撮像素子４０により撮像される。
【００２５】
画像処理回路５０は、撮像素子４０からの電子撮像データを画像処理して、上記撮像対象部位を表す電子画像データを発生しＵＳＢ素子６０に出力する。また、当該画像処理回路５０は、メモリ５１を有しており、このメモリ５１には、カメラ用照合コード（以下、ＩＤコードともいう）が予め記憶されている。本実施形態では、当該カメラ用ＩＤコードは、カメラＣを特定するものである。
【００２６】
パソコンシステムＰは、図１及び図２にて示すごとく、システム本体７０及び表示装置８０でもって構成されており、システム本体７０は、図２にて示すごとく、キーボード７０ａ、操作機器７０ｂ及びコンピュータ７０ｃを備えている。なお、コンピュータ７０ｃは、システム本体７０に内蔵されている。また、キーボード７０ａは、その操作に伴い、操作入力をコンピュータ７０ｃに対し出力する。
【００２７】
操作機器７０ｂは、図２にて示すごとく、動画キー７１ａ、静止画キー７１ｂ、スクロールキー７２、倍率調整キー７３、基準点キー７４、戻しキー７５、白黒反転キー７６ａ、ガンマ補正キー７６ｂを備えている。
【００２８】
動画キー７１ａは、コンピュータ７０ｃを動画モード処理におくとき操作される。静止画キー７１ｂは、コンピュータ７０ｃを静止画モードにおくとき操作される。スクロールキー７２は、左右上下のキー部からなるもので、このスクロールキー７２は、左右上下のキー部のいずれかのスクロール操作により、後述する液晶パネル８０ｂの表示画面上に沿いその表示内容を上下左右のいずれかの方向にスクロールする。
【００２９】
倍率調整キー７３は、拡大キー部及び縮小キー部からなるもので、この倍率調整キー７３は、新聞２０の撮像対象部位の一部を液晶パネル８０ｂの表示画面にて拡大或いは縮小して表示するとき上記拡大キー部或いは縮小キー部を操作する。なお、上記撮像対象部位の一部の拡大或いは縮小の倍率は、上記拡大キー部或いは縮小キー部の操作の繰り返し回数で特定される。
【００３０】
基準点キー７４は、液晶パネル８０ｂの表示画面に表示される新聞２０の上記撮像対象部位のうちの読み始め部分をカーソルにより基準点として特定するとき操作される。戻しキー７５は、液晶パネル８０ｂの表示画面に表示される新聞２０の上記撮像対象部位においてカーソルの位置を現段階の位置から上記基準点に戻すとき操作される。
【００３１】
白黒反転キー７６ａは、液晶パネル８０ｂの表示画面に表示される新聞２０の上記撮像対象部位の表示態様を白黒反転させるとき操作される。ガンマ補正キー７６ｂは、液晶パネルの表示画面に表示される新聞２０の上記撮像対象部位の表示態様をガンマ補正するとき操作される。
【００３２】
コンピュータ７０ｃは、バスライン７７ａを介し接続してなるＣＰＵ７７、ＲＯＭ７８ａ、ＲＡＭ７８ｂ及びＵＳＢポート７９を主たる構成素子として有する。このコンピュータ７０ｃは、ＣＰＵ７７により、図３〜図５にて示すフローチャートに従いコンピュータプログラムを実行し、この実行中において、ＵＳＢポート７９及びＵＳＢ素子６０を介し、画像処理回路５０の出力の入力処理を行い、また、操作機器７０ｂの操作に基づき、表示装置８０の表示駆動制御処理を行う。なお、上記コンピュータプログラムは、ＲＯＭ７８ｂにコンピュータ７０ｃによりＣＰＵ７７でもって読み出し可能に予め記憶されている。
【００３３】
ＵＳＢポート７９は、ＵＳＢ素子６０と接続されるようになっており、このＵＳＢポート７９は、ＵＳＢ素子６０と接続のもとに、コンピュータ７０ｃと画像処理回路５０との間のデータの授受を有効にする。
【００３４】
表示装置８０は、図２にて示すごとく、駆動回路８０ａ及び液晶パネル８０ｂ（以下、ＬＣＤ８０ｂともいう）を備えている。駆動回路８０ａは、コンピュータ７０ｃによりＣＰＵ７７でもって制御されて、ＬＣＤ８０ｂを表示駆動する。
【００３５】
以上のように構成した本実施形態において、当該拡大読書器が作動状態におかれると、カメラＣ及びパソコンシステムＰが共に作動状態になる。これに伴い、カメラＣにおいては、撮像素子４０が、新聞２０の上記２次元状の撮像対象部位（図６参照）を、レンズ３０を通して光学的に撮像し電子撮像データとして画像処理回路５０に出力する。
【００３６】
すると、この画像処理回路５０は、当該電子撮像データを画像処理して、上記撮像対象部位の画像を表す電子画像データを発生する。なお、以下、上記撮像対象部位の画像をカメラ画像ともいう。
【００３７】
また、パソコンシステムＰが上述のように作動状態になると、コンピュータ７０ｃは、上記コンピュータプログラムを図３〜図５のフローチャートに従い実行を開始する。まず、図３のステップ１００において、ＩＤコード要求処理がなされる。このＩＤコード要求処理では、カメラ用ＩＤコードが、コンピュータ７０ｃにより、ＣＰＵ７７でもって、バスライン７７ａを介しＵＳＢポート７９を通して要求される。
【００３８】
現段階において、カメラＣが、ＵＳＢ素子６０にて、コンピュータ７０ｃのＵＳＢポート７９に接続されていなければ、コンピュータ７０ｃによるカメラ用ＩＤコードの要求はカメラＣには入力されない。このため、カメラＣからコンピュータ７０ｃへのカメラ用ＩＤコードの入力はない。
【００３９】
従って、ステップ１１０においては、カメラ用ＩＤコードの入力がないことから、ＮＯと判定される。これに伴い、上記コンピュータプログラムのステップ１１１への移行が禁止される。
【００４０】
このような状態において、カメラＣが、そのＵＳＢ素子６０にて、コンピュータ７０ｃのＵＳＢポート７９に接続されるものとする。すると、ステップ１００におけるＩＤコード要求処理に伴い、コンピュータ７０ｃによるカメラ用ＩＤコードの要求がＣＰＵ７７によりバスライン７７ａ、ＵＳＢポート７９及びＵＳＢ素子６０を通りカメラＣの画像処理回路５０に入力される。
【００４１】
このため、画像処理回路５０は、メモリ５１からカメラ用ＩＤコードを読み出して、ＵＳＢ素子６０からＵＳＢポート７９及びバスライン７７ａを通してコンピュータ７０ｃのＣＰＵ７７に入力する。これに伴い、コンピュータ７０ｃは、ＣＰＵ７７により、ステップ１１０においてＹＥＳと判定し、ステップ１１１において、ＵＳＢ素子６０からのカメラ用ＩＤコードをバスライン７７ａを通してＲＡＭ７８ｂに入力して一時的に記憶させる。
【００４２】
然る後、ステップ１２０において、ＩＤコードが一致するか否かが判定される。ここで、上述のようにＲＡＭ７８ｂに記憶されたカメラ用ＩＤコードが、パソコンシステム用ＩＤコードと一致すれば、ステップ１２０における判定はＹＥＳとなる。
【００４３】
本実施形態では、上述したパソコンシステム用ＩＤコードは、パソコンシステムＰを特定するものであって、コンピュータ７０ｃのＲＯＭ７８ａに予め記憶されている。従って、ステップ１２０における判定においては、ＲＡＭ７８ｂに記憶済みのカメラ用ＩＤコードが、ＲＯＭ７８ａから読み出されたパソコンシステム用ＩＤコードと一致するか否かで判定される。
【００４４】
ここで、ＲＡＭ７８ｂに記憶済みのカメラ用ＩＤコードが、ＲＯＭ７８ａから読み出されたパソコンシステム用ＩＤコードと一致しなければ、カメラＣは、パソコンシステムＰに対し正当に接続されるべきカメラではない。従って、ステップ１２０における判定はＮＯとなり、上記コンピュータプログラムのステップ１３０以後への移行が禁止される。
【００４５】
これにより、カメラＣがパソコンシステムＰに対し正当に接続可能なカメラでなければ、当該カメラＣがパソコンシステムＰに接続されても、拡大読書器としての本来の拡大読書機能が無効になる。
【００４６】
一方、ＲＡＭ７８ｂに記憶済みのカメラ用ＩＤコードが、ＲＯＭ７８ａから読み出されたパソコンシステム用ＩＤコードと一致すれば、カメラＣは、パソコンシステムＰに対し正当に接続されるべきカメラである。
【００４７】
これにより、カメラＣがパソコンシステムＰに対し正当に接続可能なカメラであるときにのみ、当該カメラＣがパソコンシステムＰに接続されて、拡大読書器としての本来の拡大読書機能が有効となる。
【００４８】
従って、上述のようにカメラ用ＩＤコードがパソコンシステム用ＩＤコードと一致すれば、ステップ１２０における判定がＹＥＳとなり、上記コンピュータプログラムのステップ１３０以後への移行が許可される。
【００４９】
上述のようにステップ１２０における判定がＹＥＳになると、次のステップ１３０において、動画キーが操作されたか否かが判定される。現段階において、操作機器７０ｂの動画キー７１ａが操作されておれば、ステップ１３０においてＹＥＳと判定され、上記コンピュータプログラムが動画処理ルーチン１４０に進む。
【００５０】
この動画処理ルーチン１４０においては、画像処理回路５０からの電子画像データが、ＵＳＢ素子６０、ＵＳＢポート７９及びバスライン７７ａを通りコンピュータ７０ｃにＣＰＵ７７でもって取り込まれる。このように取り込まれた電子画像データは、操作機器７０ｂの白黒反転キー７６ａやガンマ補正キー７６ｂの操作でもって、読み手にとってできる限り見易いように補正されて、補正カメラ画像を表すデータとして表示装置８０に出力される。
【００５１】
これにより、表示装置８０において、ＬＣＤ８０ｂは、駆動回路８０ａにより駆動されて、補正カメラ画像を表示画面にて表示する。ここで、撮像素子４０による撮像の際に、読み手が上記撮像対象部位を特定するために新聞２０を動かせば、上記撮像対象部位は、動画として撮像素子４０により撮像される。従って、上述のようにＬＣＤ８０ｂの表示画面に表示される画像は、上記カメラ画像を明瞭でなくても一応認識できる程度の動画となっている。
【００５２】
このような段階において、操作機器７０ｂの静止画キー７１ｂが操作されると、ステップ１３０においてＮＯと判定された後、ステップ１５０において、ＹＥＳと判定される。これに伴い、ステップ１５１において、補正カメラ画像の記憶処理がなされる。この記憶処理では、動画モード処理ルーチン１４０における補正カメラ画像を表すデータがＲＡＭ７８ｂに入力されて一時的に記憶される。このことは、上記補正カメラ画像が静止画を表すデータ（以下、静止画データという）としてＲＡＭ７８ｂに記憶されることを意味する。
【００５３】
このように補正カメラ画像が静止画データとしてＲＡＭ７８ｂに記憶されると、ステップ１５２において、静止画表示処理がなされる。この静止画表示処理では、ステップ１５１にてＲＡＭ７８ｂに記憶済みの静止画データが表示装置８０に出力される。これに伴い、この表示装置８０のＬＣＤ８０ｂは、上記静止画データに基づき駆動回路８０ａにより駆動されて、表示画面にて上記静止画を表示する。この静止画は、図６にて示すような画像として表示される。
【００５４】
ステップ１５２における処理が上述のように終了すると、静止画モード処理ルーチン１６０の処理がなされる（図３〜図５参照）。まず、図４のステップ１６１において、操作機器７０ｂの倍率調整キー７３の操作か否かが判定される。
【００５５】
ステップ１６１における判定がＹＥＳとなる場合には、ステップ１６２において、拡大倍率の選択終了か否かが判定される。ここで、倍率調整キー７３が、その拡大キー部或いは縮小キー部の繰り返し操作でもって、拡大倍率の調整を行っている最中であれば、ステップ１６２においてＮＯと判定される。このとき、ＬＣＤ８０ｂの表示画面に表示されている静止画のうち拡大すべき文字領域Ａ１を囲う窓Ｗ１は、図７にて示す位置にあるものとする。なお、この窓Ｗ１の上記表示画面内における位置は、操作機器７０ｂのスクロールキー７２の操作でもって調整される。
【００５６】
以上のような状態において、倍率調整キー７３の操作が終了すると、拡大倍率の選択が終了されたことから、ステップ１６２において、ＹＥＳと判定される。これに伴い、次のステップ１６２ａにおいて、選択拡大倍率の設定処理がなされる。これに伴い、上述のように選択された拡大倍率がＲＡＭ７８ｂに入力されて一時的に記憶される。  このことは、上述の選択拡大倍率が設定されたことを意味する。
【００５７】
然る後、ステップ１６２ｂにおいて、静止画の一部の拡大表示処理がなされる。この拡大表示処理では、ＲＡＭ７８ｂに記憶済みの静止画データのうち上記文字領域Ａ１（上記静止画の一部に相当）に対応するデータ部が、上記設定拡大倍率に基づき拡大処理されて、拡大データ部として表示装置８０に出力される。
【００５８】
これに伴い、当該表示装置８０においては、ＬＣＤ８０ｂが、上記拡大データ部に基づき駆動回路８０ａにより駆動されて、図８にて示すごとく、文字領域Ａ１を文字領域Ａ２（以下、拡大文字領域Ａ２ともいう）に拡大表示する。即ち、当該文字領域Ａ２は、上記設定拡大倍率でもって拡大されて、図８にて示すごとく、ＬＣＤ８０ｂの表示画面のほぼ全体に亘り表示される。なお、これにあわせて、窓Ｗ１も同様に窓Ｗ２（以下、拡大窓Ｗ２ともいう）に拡大表示される。
【００５９】
上述のようにステップ１６２ｂにおける静止画の一部の拡大表示処理が終了すると、ステップ１６２ｃにおいて読み始め部分決定処理がなされる。この読み始め部分決定処理では、キーボード７０ａの操作でもって、ＬＣＤ８０ｂの表示画面上のカーソルの位置が読み手の希望位置に移動される。現段階では、読み手の希望の位置は、上記拡大文字領域Ａ２のうち「視」（図８参照）という文字の右上角部にあるものとする。
【００６０】
しかして、このようなキーボード７０ａの操作が終了すると、読み始め部分が決定されることから、ステップ１６３において、ＹＥＳと判定される。
【００６１】
ついで、図５のステップ１６４において、ＬＣＤ８０ｂの表示画面上における基準点が決定されたか否かが判定される。ここで、操作機器７０ｂの基準点キー７４が操作されれば、ＬＣＤ８０ｂの表示画面上のカーソルの現在の位置が、基準点として上記表示画面上にて決定されることから、ステップ１６４においてＹＥＳと判定される。
【００６２】
上述のようにステップ１６４における判定がＹＥＳになると、ステップ１６４ａにおいて、基準点記憶処理がなされる。この基準点記憶処理では、コンピュータ７０ｃが、ＣＰＵ７７により、上述した拡大文字領域Ａ２のうち「視」という文字の右上角部を、上記基準点を表すデータ（以下、基準点データともいう）としてＲＡＭ７８ｂに一時的に記憶する。
【００６３】
ついで、ステップ１６４ｂにおいて、基準点表示処理がなされる。この基準点表示処理では、アスタリスクマーク「＊」が、上述した拡大文字領域Ａ２のうち「視」という文字の右上角部を特定するアスタリスクマーク表示データとして作成され表示装置８０に出力される。
【００６４】
これに伴い、表示装置８０では、ＬＣＤ８０ｂが、当該アスタリスクマーク表示データに基づき駆動回路８０ａにより駆動されて、その表示画面にて、上述した拡大文字領域Ａ２のうち「視」という文字の右上角部にアスタリスクマーク「＊」（図９にて符号Ｓ参照）を表示する。
【００６５】
これにより、読み手は、ＬＣＤ８０ｂの表示画面における上記拡大文字領域Ａ２の読み始め部分を、上述のようなアスタリスクマークＳの表示でもって、明確に視認し得る。その結果、読み手は、新聞２０のうち上記拡大文字領域Ａ２（図９参照）を、確実に「視」という文字から読み始めることができる。
【００６６】
しかして、戻しキー７５を操作することなくスクロールキー７２によりＬＣＤ８０ｂの表示画面に沿いスクロール操作すれば、両ステップ１６５、１６６を循環する処理が繰り返される。このような状態では、読み手は、新聞２０の上記撮像対象部位（図６参照）を上述した拡大文字領域Ａ２の「視」という文字から下方に向けて順次読んでいく。
【００６７】
詳細には、上記スクロール操作に伴い、図９の表示画面上にて拡大窓Ｗ２内に表示される文字領域は、上記補正静止画（新聞２０の上記撮像対象部位（図６参照）に対応）のうち上記拡大文字領域Ａ２の下方の部位に変化していく。これに伴い、このように変化しながら拡大窓Ｗ２内に表示される文字領域の文字が順次下方へ順次読まれていく。ここでは、図６の右から第２行目が、「視」という文字から「段」という文字にかけて、図９の拡大窓Ｗ２内にて順次読まれていく。
【００６８】
このようにして図６の右から第２行目を読み終わったとき、ＬＣＤ８０ｂの表示画面中の拡大窓Ｗ２内には、図１０にて示す文字領域Ａ３が表示されている。
【００６９】
そこで、読み手が戻しキー７５を操作すると、ステップ１６６においてＹＥＳと判定され、然る後、ステップ１６６ａにおいて基準点再表示処理がなされる。この基準点再表示処理では、上述のごとく拡大文字領域Ａ２のうち「視」という文字の右上角部が基準点データとしてステップ１６４ａ（図５参照）にてＲＡＭ７８ｂに記憶されているため、当該基準点データをもとに、拡大窓Ｗ２内の表示内容を拡大文字領域Ａ３からアスタリスクマークＳ及び拡大文字領域Ａ２の表示内容に戻す処理がなされる。
【００７０】
このため、ＬＣＤ８０ｂは、その表示画面にて、再度、拡大文字領域Ａ２及び上記基準点を特定するアスタリスクマークＳ（図９参照）を表示する。これに伴い、上記コンピュータプログラムはステップ１６５に戻る。
【００７１】
このような段階において、戻しキー７５を操作することなくスクロールキー７２によりＬＣＤ８０ｂの表示画面に沿いスクロール操作すれば、上述と同様に両ステップ１６５、１６６を循環する処理が繰り返される。
【００７２】
このような状態では、上記スクロール操作に伴い、図９の表示画面上にて拡大窓Ｗ２内に表示される文字領域は、上記補正静止画（新聞２０の上記撮像対象部位（図６参照）に対応）のうち上記拡大文字領域Ａ２の下方の部位に変化していく。
【００７３】
これに伴い、読み手は、新聞２０の上記撮像対象部位（図６参照）を上述した拡大文字領域Ａ２の「視」という文字の左隣の「の」（図９参照）という文字から下方に向けて順次読んでいく。具体的には、上述と同様にして、図６の右から第３行目が、「の」という文字から「聞」というという文字にかけて、図９の拡大窓Ｗ２内にて順次読まれていく。
【００７４】
上述のようにして図６の右から第３行目を読み終わったとき、ＬＣＤ８０ｂの表示画面中の拡大窓Ｗ２内には、図１０にて示す文字領域Ａ３が表示されている。
【００７５】
そこで、読み手が再び戻しキー７５を操作すると、ステップ１６６においてＹＥＳと判定され、ステップ１６６ａにおける基準点再表示処理で、上述と同様に、ＲＡＭ７８ｂに記憶済みの基準点データをもとに拡大窓Ｗ２内の表示内容を拡大文字領域Ａ３からアスタリスクマークＳ及び拡大文字領域Ａ２からなる表示内容に戻す処理がなされる。
【００７６】
このため、ＬＣＤ８０ｂは、その表示画面にて、再度、拡大文字領域Ａ２及び上記基準点を特定するアスタリスクマークＳ（図９参照）を表示する。これに伴い、上記コンピュータプログラムは再びステップ１６５に戻る。
【００７７】
このような段階において、戻しキー７５を操作することなくスクロールキー７２によりＬＣＤ８０ｂの表示画面に沿いスクロール操作すれば、上述と同様に両ステップ１６５、１６６を循環する処理が繰り返される。
【００７８】
このような状態では、上記スクロール操作に伴い、上述と同様に、図９の表示画面上にて拡大窓Ｗ２内に表示される文字領域は、上記補正静止画（新聞２０の上記撮像対象部位（図６参照）に対応）のうち上記拡大文字領域Ａ２の下方の部位に変化していく。
【００７９】
これに伴い、読み手は、新聞２０の上記撮像対象部位（図６参照）を上述した拡大文字領域Ａ２の「の」という文字の左隣の「・」（図９参照）と文字から下方に向けて順次読んでいく。具体的には、上述と同様にして、図６の右から第４行目が、「・」という文字から「及」というという文字にかけて、図９の拡大窓Ｗ２内にて順次読まれていく。
【００８０】
このようにして図６の右から第４行目を読み終わったとき、ＬＣＤ８０ｂの表示画面中の拡大窓Ｗ２内には、上述と同様に、図１０にて示す文字領域Ａ３が表示されている。
【００８１】
上述のように、図６の右から第４行目を読み終わったとき、読み手が再び戻しキー７５を操作すると、ステップ１６６においてＹＥＳと判定され、ステップ１６６ａにおける基準点再表示処理で、上述と同様に、ＲＡＭ７８ｂに記憶済みの基準点データをもとに拡大窓Ｗ２内の表示内容を拡大文字領域Ａ３からアスタリスクマークＳ及び拡大文字領域Ａ２からなる表示内容に戻す処理がなされる。
【００８２】
このため、ＬＣＤ８０ｂは、その表示画面にて、再度、拡大文字領域Ａ２及び上記基準点を特定するアスタリスクマークＳ（図９参照）を表示する。これに伴い、上記コンピュータプログラムは再びステップ１６５に戻る。
【００８３】
しかし、このような段階では、拡大窓Ｗ２内にはアスタリスクマークＳが表示されていても、拡大文字領域Ａ２以外の文字領域は表示されていない。従って、上記拡大文字領域Ａ２には次に読みたい行がない。
【００８４】
そこで、ステップ１６５におけるＮＯとの判定の繰り返し中において、戻しキー７５の操作を伴うことなくＬＣＤ８０ｂの表示画面に沿いスクロールキー７２によりその右キー部でもって右側へスクロール操作すれば、両ステップ１６５、１６６を循環する処理がなされ、ＬＣＤ８０ｂの表示画面の拡大窓Ｗ２内に表示されている拡大文字領域が右側へ１行分だけ移動される。これに伴い、拡大窓Ｗ２内の拡大文字領域は、図１１にて示すような拡大文字領域Ａ４になる。
【００８５】
然る後、戻しキー７５を操作することなくスクロールキー７２によりＬＣＤ８０ｂの表示画面に沿いスクロール操作すれば、両ステップ１６５、１６６を循環する処理を繰り返しながら、図１１の表示画面上にて拡大窓Ｗ２内に表示される文字領域Ａ４は、上記補正静止画（新聞２０の上記撮像対象部位（図６参照）に対応）のうち上記拡大文字領域Ａ４の下方の部位に変化していく。従って、上述と実質的に同様にして、読み手は、新聞２０の上記撮像対象部位（図６参照）を上述した拡大文字領域Ａ４の「び」という文字からはじまる行を、上述と実質的に同様にして、順次読んでいく。
【００８６】
このようにして図６の右から第５行目を読み終わったとき、ＬＣＤ８０ｂの表示画面中の拡大窓Ｗ２内には、図１２にて示す文字領域Ａ５が表示されている。以下、上述と実質的に同様の処理でもって、図６の右から６行目の行以後が順次読まれる。
【００８７】
以上説明したように、本実施形態では、上述のような構成をそれぞれ有するカメラＣ及びパソコンシステムＰでもって拡大読書器を構成した。
【００８８】
そして、このような構成のもと、スクロールキー７２によるスクロール操作のもとにＬＣＤ８０ｂの表示画面に表示される拡大文字領域をアスタリスクマークＳで特定される読み始め部分の文字「視」を含む行（図６にて右から第２行目に相当）を読み終えたとき、及び当該読み始め部分の文字「視」を含む行の左隣の行（図６にて右から第３行目に相当）を読み終えたとき、それぞれ、戻しキー７５の操作によりＬＣＤ８０ｂの表示画面の表示内容を図９の表示内容に戻す。
【００８９】
従って、読み手は、次に読むべき行の読み始めを見失うことなく確実に視認することができ、かつ当該次に読むべき行の読み始め部分を明瞭に特定し得る。このことは、次に読むべき行が自動改行で特定されることを意味する。これにより、当該次に読むべき行を確実に読むことができる。
【００９０】
また、上述のように、図６の右から４行まで読み終えることでＬＣＤ８０ｂの表示画面の表示内容が図９の表示内容となったとき、次に読むべき部分がＬＣＤ８０ｂの表示画面に表示されていなくても、当該表示画面の表示内容を上述のように右へスクロール操作により移動させることで、上述の次に読むべき部分がＬＣＤ８０ｂの表示画面に拡大表示される。これにより図６の右から６行目の行以後を読むことができる。
【００９１】
また、本実施形態では、新聞２０の読みたい部分を単に光学的に拡大した状態で直接読むのではなく、上述のようにカメラＣから取り込まれた電子画像データを利用してＬＣＤ８０ｂの表示画面に拡大表示した静止画でもって新聞２０の読みたい部分を読むから、上述した拡大倍率が大きくても、これとはかかわりなく、読み物を移動させることなく継続的に順次読むことができる。また、このように読み物を移動させることなく読むことができるので、当該読み物を移動させる架台やテーブルも不要となる。従って、当該拡大読書器がより一層軽量となる。
【００９２】
また、上述のようにカメラＣから取り込まれた電子画像データを利用してＬＣＤ８０ｂの表示画面に拡大表示した読み物の読みたい部分を読むから、新聞２０は読む際には不要となる。従って、新聞２０の照明条件等に煩わされることがない。
【００９３】
一方、上述した図４のステップ１６１において、倍率調整キー７３が操作されていなければ、ステップ１６１においてＮＯと判定され、ステップ１６１ａにおいて、現状の静止画の表示処理がなされる。この表示処理では、ステップ１５２における静止画表示処理にて表示された静止画が、上述と同様にして、ＬＣＤ８０ｂの表示画面に表示される。
【００９４】
然る後は、ＬＣＤ８０ｂの表示画面に表示されている静止画は、ステップ１６２ｂにおける処理とは異なり拡大されていない点を除き、上述したステップ１６２ｂにおける静止画の一部の拡大表示処理後になされるステップ１６２ｃ以後の処理と同様の処理が、ステップ１６１ａにおける現状の静止画の表示処理後のステップ１６２ｃ以後の処理においてなされる。これによっても、上述と実質的に同様に新聞２０の上記撮像対象部位（図６参照）を順次読むことができる。
【００９５】
なお、本発明の実施にあたり、上記各実施形態に限ることなく、次のような種々の変形例が挙げられる。
（１）上記実施形態にて述べたＬＣＤ８０ｂによる窓Ｗ２の表示は廃止してもよい。
（２）読み物は、新聞２０に限ることなく、どのような書物であってもよい。また、縦書きの読み物に限ることなく、横書きの読み物であってもよい。なお、日本語に限ることなく、英語その他の外国語の読み物であってもよい。
（３）表示装置８０は、ＬＣＤ８０ｂに限ることなく、このＬＣＤに代えて、プラズマ表示パネル、ＥＬパネル、ブラウン管その他の各種の表示器を採用してもよい。
（４）基準点を示すマークは、アスタリスクマークＳ「＊」に限ることなく、黒丸マーク「●」、白丸マーク「○」、白或いは黒の三角マーク「△」或いは「▲」その他色々なマークであってもよい。
【図面の簡単な説明】
【００９６】
【図１】本発明に係る拡大読書器の一実施形態を示す外観斜視図である。
【図２】上記実施形態を示すブロック図である。
【図３】図２のコンピュータの作用を示すフローチャートである。
【図４】図２の静止画モード処理ルーチンを示す詳細フローチャートの前段部である。
【図５】図２の静止画モード処理ルーチンを示す詳細フローチャートの後段部である。
【図６】図１のカメラで撮像した新聞の読みたい部分の画像を表す図である。
【図７】ＬＣＤの表示画面に表示される静止画を示す図である。
【図８】図７の窓で囲われる文字領域をＬＣＤの表示画面にて拡大表示してなる拡大表示図である。
【図９】ＬＣＤの表示画面にて図８の拡大文字領域にアスタリスクマークを加えて表示してなる拡大表示図である。
【図１０】図６の右から第２行目〜第４行目のいずれかを読み終えたときにＬＣＤの表示画面に拡大表示される文字領域を示す図である。
【図１１】図６の右から第５行目を読み始めるときにＬＣＤの表示画面に拡大表示される文字領域を示す図である。
【図１２】図６の右から第５行目を読み終えたときにＬＣＤの表示画面に拡大表示される文字領域を示す図である。
【符号の説明】
【００９７】
Ｃ…カメラ、Ｐ…パソコンシステム、３０…レンズ、４０…撮像素子、
５０…画像処理回路、５１…メモリ、６０…ＵＳＢ素子、７０ａ…キーボード、
７１ｂ…静止画キー、７２…スクロールキー、７３…倍率調整キー、
７４…基準点キー、７８ｂ…ＲＡＭ、７９…ＵＳＢポート、８０…表示装置。
【図１】
2006254271.tif 000003
【図２】
2006254271.tif 000004
【図３】
2006254271.tif 000005
【図４】
2006254271.tif 000006
【図５】
2006254271.tif 000007
【図６】
2006254271.tif 000008
【図７】
2006254271.tif 000009
【図８】
2006254271.tif 000010
【図９】
2006254271.tif 000011
【図１０】
2006254271.tif 000012
【図１１】
2006254271.tif 000013
【図１２】
2006254271.tif 000014